(57)【要約】  高電流差込み接続部用のコネクタシステム（１）を説明する。このコネクタシステム（１）は、電気的な導線（５）を備えるワイヤハーネスコネクタ（３）と、該ワイヤハーネスコネクタ（３）とユニット（７）との間に電気的な接続を生ぜしめるためのインタフェース（９）を備えるユニット（７）とを有している。更にコネクタシステム（１）は、前記ワイヤハーネスコネクタ（３）を前記インタフェース（９）に形状接続的に固定するための第１の固定部材（１１）を有している。前記コネクタシステム（１）は更に、第２の固定部材（１３）を有しており、該第２の固定部材（１３）は、前記ワイヤハーネスコネクタ（３）及び／又は前記導線（５）を前記ユニット（７）に形状接続的に固定するように形成されており、これにより、前記ワイヤハーネスコネクタ（３）の差込み方向（１５）に対して平行な、ワイヤハーネスコネクタ（３）及び／又は導線（５）の動きが阻止されている。
2016531393.tif 000002
【特許請求の範囲】
【請求項１】
高電流差込み接続部用のコネクタシステム（１）であって、該コネクタシステム（１）は、
電気的な導線（５）を備えるワイヤハーネスコネクタ（３）と、
該ワイヤハーネスコネクタ（３）とユニット（７）との間に電気的な接続を生ぜしめるためのインタフェース（９）を備えるユニット（７）と、
前記ワイヤハーネスコネクタ（３）を前記インタフェース（９）に形状接続的に固定するための第１の固定部材（１１）と、を有しているものにおいて、
前記コネクタシステム（１）は更に、第２の固定部材（１３）を有しており、前記ワイヤハーネスコネクタ（３）の差込み方向（１５）に対して平行な、前記ワイヤハーネスコネクタ（３）及び／又は前記導線（５）の動きが阻止されているように、前記第２の固定部材（１３）が、前記ワイヤハーネスコネクタ（３）及び／又は前記導線（５）を前記ユニット（７）に形状接続的に固定することを特徴とする、高電流差込み接続部用のコネクタシステム。
【請求項２】
前記第２の固定部材（１３）は、クイックロックとして形成されている、請求項１記載のコネクタシステム。
【請求項３】
前記ユニット（７）にロック部材（１７）が設けられており、前記第２の固定部材（１３）は、前記ロック部材（１７）と形状接続的に係合するように形成されており、これにより前記第２の固定部材（１３）は、前記ユニット（７）に形状接続的に固定された状態になる、請求項１又は２記載のコネクタシステム。
【請求項４】
前記ロック部材（１７）は、前記ユニット（７）から前記差込み方向（１５）に対して垂直に離れる方向を向いた、２つの対向して位置するロックピンとして形成されている、請求項３記載のコネクタシステム。
【請求項５】
前記第２の固定部材（１３）は、前記ワイヤハーネスコネクタ（３）に配置されており、前記第２の固定部材（１３）は、前記差込み方向（１５）に対して垂直に前記ワイヤハーネスコネクタ（３）を通る回転軸線（１９）を中心として回動可能に支持されている、請求項１から４までのいずれか１項記載のコネクタシステム。
【請求項６】
前記第２の固定部材（１３）は別個の構成部材として形成されており、前記第２の固定部材（１３）は、基体（２９）と回動体（３１）とを有しており、該回動体（３１）は、前記基体（２９）に対して相対運動可能である、請求項１から４までのいずれか１項記載のコネクタシステム。
【請求項７】
前記基体（２９）に第１の係合部材（２１）が設けられており、前記ワイヤハーネスコネクタ（３）は、取付け要素（２５）を有しており、前記第２の固定部材（１３）が前記ユニット（７）に固定された状態で、前記第１の係合部材（２１）は、前記取付け要素（２５）に形状接続的に係合している、請求項６記載のコネクタシステム。
【請求項８】
前記基体（２９）に第２の係合部材（２３）が設けられており、前記ユニット（７）は、押当て部材（２７）を有しており、前記第２の固定部材（１３）が前記ユニット（７）に固定された状態で、前記第２の係合部材（２３）は前記電気的な導線（５）を、前記押当て部材（２７）に対して押圧している、請求項６又は７記載のコネクタシステム。
【請求項９】
前記基体（２９）は、前記電気的な導線（５）を収容するように形成されており、前記回動体（３１）は、前記第２の固定部材（１３）と、前記基体（２９）に収容された前記電気的な導線（５）とを、前記ユニット（７）に形状接続的に固定する、請求項６記載のコネクタシステム。
【請求項１０】
請求項１から９までのいずれか１項記載の高電流差込み接続部用のコネクタシステム（１）の製造方法であって、
電気的な導線（５）を備えたワイヤハーネスコネクタ（３）を準備するステップと、
前記ワイヤハーネスコネクタ（３）とユニット（７）との間に電気的な接続を生ぜしめるためのインタフェース（９）を備えたユニット（７）を準備するステップと、
前記ワイヤハーネスコネクタ（３）を、第１の固定部材（１１）を用いて前記インタフェース（９）に形状接続的に固定するステップと、を有する方法において、
当該方法は、前記ワイヤハーネスコネクタ（３）の差込み方向（１５）に対して平行な、前記ワイヤハーネスコネクタ（３）及び／又は前記導線（５）の動きを阻止するように、前記ワイヤハーネスコネクタ（３）及び／又は前記導線（５）を、第２の固定部材（１３）を用いて前記ユニット（７）に形状接続的に固定するステップを更に有していることを特徴とする、請求項１から９までのいずれか１項記載の高電流差込み接続部用のコネクタシステム（１）の製造方法。
【発明の詳細な説明】
【技術分野】
【０００１】
背景技術
電気的な差込み接続部は多くの技術分野で使用され、一般に電気的なコンタクトを備えるコンタクト支持体を有している。コンタクト支持体はソケットとして形成されていてよく、電気的な接続を生ぜしめるためのコネクタ若しくはピンを収容することができる。コンタクト支持体からは、例えばケーブルの形態の電気的な導線が出ており、電気的なコンタクトを別のコンポーネントに接続する。
【０００２】
例えばこのような差込み接続部は、自動車における種々様々なコンポーネントを接続するために使用可能である。例えばコンタクト支持体は、ワイヤハーネスコネクタとして形成されていてもよい。自動車の運転時に、差込み接続部は高い負荷、特に振動に晒されている恐れがある。
【０００３】
動きは、ケーブル若しくは電気的な導線を介して差込み接続部に伝達され得る。このことは、電気的な導線に直接に接続された電気的なコンタクトとピンとの間に、相対運動を生ぜしめる可能性がある。このような相対運動は、コンタクト支持体の摩耗、延いてはコンタクト支持体の比較的高い接触抵抗若しくは比較的短い寿命につながる恐れがある。この場合、摩耗は、例えば高電流差込み接続部において存在するような、比較的大きな寸法と大きな導線とを備える差込み接続部の場合には、特に顕著に表れる恐れがある。
【０００４】
コンタクト支持体とコネクタとの間の固定は、例えば独国特許出願公開第１０２００４０２４５３０号明細書から公知である。但し、相対運動の最適な最小化は、これまでまだ達成することができなかった。
【０００５】
発明の開示
このことから、特に電気的なコンタクトとピンとの間の相対運動を最小限に抑えるか、若しくは防止することを可能にする、改良されたコネクタシステム及びコネクタシステムのための相応する製造方法に対する要求が生じ得る。
【０００６】
この要求は、独立請求項に記載の本発明によりカバーされ得る。本発明の有利な構成は、従属請求項に記載されている。
【０００７】
以下に、本発明の構成に基づく装置の特徴、詳細及び可能な利点を詳しく説明する。
【０００８】
本発明の第１の態様では、高電流差込み接続部用のコネクタシステムを説明する。このコネクタシステムは、電気的な導線を備えるワイヤハーネスコネクタと、ワイヤハーネスコネクタとユニットとの間に電気的な接続を生ぜしめるためのインタフェースを備えるユニットとを有している。更にコネクタシステムは、ワイヤハーネスコネクタをインタフェースに形状接続的に固定するための第１の固定部材を有している。更に、コネクタシステムは第２の固定部材を有しており、第２の固定部材は、ワイヤハーネスコネクタ及び／又は導線をユニットに形状接続的に固定するように形成されており、これにより、ワイヤハーネスコネクタの差込み方向に対して平行な、ワイヤハーネスコネクタ及び／又は導線の動きが阻止されると同時に、場合によってはワイヤハーネスコネクタの差込み方向に対して垂直な、ワイヤハーネスコネクタ及び／又は導線の動きが阻止されている。
【０００９】
換言すると、本発明の思想は、ワイヤハーネスコネクタ及び導線、若しくはワイヤハーネスコネクタだけ、又は導線だけをユニットに固定して、ワイヤハーネスコネクタ及び導線の動きがコンタクトに一切作用しないように、若しくは伝達されないようにすることに基づいている。即ち、インタフェースと、ワイヤハーネスコネクタと、特に電気的に接触接続しているインタフェースとワイヤハーネスコネクタのコンタクト素子とは、同じ振動レベルを有している。
【００１０】
第２の固定部材は、第１の固定部材による本来のコネクタロックに加えて付加的に、導線及び／又はワイヤハーネスコネクタを、ユニットに直接に遊び無く固定する。この場合、第２の固定部材による固定は、差込み方向に対して少なくとも平行に、遊び無く行われる。換言すると、差込み接続部は軸方向で固定され得る。付加的に、第２の固定部材による固定は、ワイヤハーネスコネクタの差込み方向に対して垂直な動きをも阻止することができる。
【００１１】
ワイヤハーネスコネクタ及び／又は導線をユニットに直接に固定することにより、これらのコンポーネントはユニットと、ユニットに設けられたインタフェースと同じ振動レベルにあることになる。このようにして、コンタクトに対する運動の伝達が低減される。これにより、コンタクトとピンとの間の相対運動が低減される。これにより更に、コンタクト支持体の摩耗が減少すると共に、コネクタシステムの耐用年数が向上される。
【００１２】
コネクタシステムは、例えば自動車に使用可能である。自動車のワイヤハーネスは、電気的な導線若しくはケーブルと、電気的な導線の一方の端部のワイヤハーネスコネクタとを有していてもよい。例えば、ワイヤハーネスコネクタは電気的な導線を介して、例えば制御装置等の自動車のコンポーネントに接続されていてもよい。
【００１３】
ワイヤハーネスコネクタは、１つ又は複数のコンタクト素子を備えるコンタクト支持体が内部に配置されたケーシングを有していてもよい。この場合、ワイヤハーネスコネクタのコンタクト素子は、インタフェースに配置されたコンタクト素子と電気的に接続可能である。
【００１４】
ワイヤハーネスコネクタに接続されるべきインタフェースが設けられたユニットは、例えば別のワイヤハーネスとして、回路基板として、又はディストリビュータとして形成されていてもよい。ユニットが電気機械として、若しくは電気機械のケーシングとして形成されていると、好適なことがある。
【００１５】
ユニットにはインタフェースが設けられており、このインタフェースを介して、ユニットはワイヤハーネスコネクタ延いては別のコンポーネントに接続可能である。例えば、ユニットはインタフェースを介してエネルギ供給され得る。インタフェースは、インタフェースソケット若しくはコネクタカラーを有していてもよい。コネクタカラー内には、例えばカッタ若しくはピン等のコンタクト素子が設けられていてもよい。
【００１６】
第１の固定部材は、ワイヤハーネスコネクタを、インタフェース若しくはインタフェースカラーに直接に固定するために用いられる。この場合は第１の固定部材を、コネクタロックと云うこともある。例えば第１の固定部材は、手動で操作可能である。ワイヤハーネスコネクタをインタフェースに接続した後、つまり、ワイヤハーネスコネクタをインタフェースソケットに挿入した後で、第１の固定部材を操作して、ワイヤハーネスコネクタをインタフェース若しくはインタフェースソケットに形状接続的に、且つ場合によっては摩擦接続的に固定することができる。このためには例えば、インタフェースソケットの外側に、ワイヤハーネスコネクタの差込み方向に対して垂直に配置された、対向して位置する２つのロックピンが設けられていてもよい。この場合、第１の固定部材は摺動部材として、又は回動可能に支持されたレバー部材として形成されていてもよい。特に第１の固定部材は、ワイヤハーネスコネクタに配置されていてもよい。
【００１７】
第２の固定部材は、ワイヤハーネスコネクタ及び／又は電気的な導線を、ユニットに直接的又は間接的に固定するために用いられる。特に、ワイヤハーネスコネクタと、電気的な導線の両方が、第２の固定部材によりユニットに固定されていてもよい。択一的に、これらの部材の内の一方だけが、ユニットに固定されていてもよい。この場合、固定は形状接続的であるか、又は形状接続的であり且つ摩擦接続的であってもよい。例えば、第２の固定部材による固定は、インタフェースから所定の間隔を置いて行われてもよい。例えば、この所定の間隔は、１００ｍｍ未満、特に５０ｍｍ未満、好適には３０ｍｍ未満であってもよい。
【００１８】
第２の固定部材は、電気的な導線及び／又はワイヤハーネスコネクタを、ワイヤハーネスコネクタの差込み方向に対して平行に固定する。即ち、差込み方向の動き又は差込み方向とは逆方向の動きが防止される。この場合、差込み方向は、ワイヤハーネスコネクタの長手方向軸線に対して平行に延びていてもよい。第２の固定部材は、第１の固定部材と同様に形成されていてもよい。この場合、第２の固定部材は手動で取付け可能に、且つ手動で操作可能に形成されていてもよい。
【００１９】
第２の固定部材は、ワイヤハーネスコネクタをインタフェースに接続した後で、且つ第１の固定部材を閉じた後又は閉じる前に操作可能である。この場合、第２の固定部材は既にワイヤハーネスコネクタに取り付けられているか、又は別個の構成部材として形成されていてもよい。更に、第２の固定部材は摺動部材として、又は回動可能に支持されたレバー部材として形成されていてもよい。
【００２０】
本発明の１つの実施形態では、第２の固定部材はクイックロックとして形成されている。この場合、クイックロックは手動操作可能なレバーロック又は摺動ロックとして形成されていて、繰り返し取り外すことができる。更に、クイックロックは係止ロックとして形成されていてもよい。更に、クイックロックはばね負荷されていてよく、閉鎖後にばねによって閉鎖位置に保持され得る。更に、クイックロックは操作後に自動的に閉鎖可能である。第１の固定部材も任意でクイックロックとして形成されていてもよい。
【００２１】
クイックロックの使用により、インタフェースにおけるワイヤハーネスの取付け時間を大幅に減らすことができる。更に取付けに際して、ドライバ等の付加的な工具の使用を省くことができる。これにより、車両内の所要取付け空間が減少され得る。
【００２２】
本発明の別の実施形態では、ユニットにロック部材が設けられている。この場合、第２の固定部材は、ロック部材と形状接続的に係合するように形成されており、これにより第２の固定部材は、ユニットに形状接続的に固定された状態になる。ロック部材は、例えば１つ又は複数のピン、係止フック又は突出部として形成されていてもよい。第２の固定部材は、例えばロック部材に後ろから係合するフックを有していてもよい。
【００２３】
本発明の更に別の実施形態では、ロック部材は、ユニットから差込み方向に対して垂直に離れる方向を向いた、２つの対向して位置するロックピンの形態で形成されている。
【００２４】
本発明の更に別の実施形態では、第２の固定部材は、ワイヤハーネスコネクタに配置されている。更に第２の固定部材は、差込み方向に対して垂直にワイヤハーネスコネクタを通る回転軸線を中心として回動可能に支持されている。この実施形態では、第２の固定部材はワイヤハーネスコネクタと別個に形成されているのではなく、ワイヤハーネスコネクタに予め取り付けられている。この実施形態では、第２の固定部材によってワイヤハーネスコネクタだけがユニットに直接に固定され得る。
【００２５】
例えば、第２の固定部材の、ユニットとは反対の側のレバーが操作されると、第２の固定部材は、ワイヤハーネスコネクタにおける回転軸線を中心として回動する。このとき、第２の固定部材のフックが、ユニットに設けられたロック部材若しくは突出部に後ろから係合し、延いてはワイヤハーネスコネクタと、場合によっては電気的な導線をも、ユニットに固定する。択一的に、第２の固定部材は、差込み方向に対して垂直な平面内で摺動させられるスライダとして形成されていてもよい。
【００２６】
本発明の更に別の実施形態では、第２の固定部材は別個の構成部材として形成されている。この場合、第２の固定部材は、基体と回動体とを有している。回動体は、基体に対して相対運動可能に形成されている。特に回動体は、操作レバーと係止フックとを有していてもよい。この場合、第２の固定部材は、ワイヤハーネスコネクタとは別個に製造されていてもよい。取付け前は、ユニットにも、ワイヤハーネスコネクタにも、第２の固定部材は配置されていない。
【００２７】
本発明の更に別の実施形態では、基体は第１の係合部材を有している。ワイヤハーネスコネクタは更に、取付け要素を有している。第２の固定部材がユニットに固定された状態で、第１の係合部材は、取付け要素に形状接続的に係合している。
【００２８】
取付け要素は、例えば膨出部、切欠き、又は凹部として、ワイヤハーネスコネクタに形成されていてもよい。第１の係合部材は、突出部又は隆起部として、基体に形成されていてもよい。この場合、係合部材の形状は、取付け要素の形状に対応している。取付けに際しては、基体の第１の係合部材が取付け要素に挿入されてから、固定部材が操作される。このようにして、別個に形成された第２の固定部材の、ワイヤハーネスコネクタにおける確実な着座が保証され得る。
【００２９】
本発明の更に別の実施形態では、基体は更に、第２の係合部材を有している。ユニットは、押当て部材を有している。この場合、第２の固定部材がユニットに固定された状態で、第２の係合部材は電気的な導線を、押当て部材に対して押圧している。
【００３０】
押当て部材は、例えば隆起部若しくは突出部として、ユニットに形成されていてもよい。第２の係合部材は、第１の係合部材と同様に、隆起部又は突出部として形成されていてもよい。取付けに際しては、別個に形成された第２の固定部材の第１の係合部材が、ワイヤハーネスコネクタの取付け要素に挿入される。更に、第２の係合部材が電気的な導線を、押当て部材に対して押圧する。このようにして、電気的な導線と、ワイヤハーネスコネクタとが両方共、ユニットに直接に固定される。導線のスリップを防ぐために、第２の係合部材も、押当て部材も、粗い、若しくは溝付きの表面を有していてもよい。
【００３１】
本発明の更に別の実施形態では、基体は、導線を収容するように形成されている。第２の固定部材がコネクタシステムに取り付けられた状態で、回動体が第２の固定部材と、基体に収容された導線とを、ユニットに形状接続的に固定する。
【００３２】
この実施形態では、第２の固定部材は、コネクタシステムのコンポーネントとは別個に形成されていてもよい。この場合は第２の固定部材により電気的な導線だけが、ユニットに直接に固定され得る。電気的な導線が収容される基体の内側表面は、導線のスリップを防ぐために、粗く形成されていてもよい。例えば基体の内側表面は、溝を付けられて形成されていてもよい。
【００３３】
取付けに際して、インタフェースとワイヤハーネスコネクタとの間に接続が生ぜしめられてから、第２の固定部材が電気的な導線を覆って押しずらされ、これにより電気的な導線は、基体に収容された状態になる。次いで、第２の固定部材は、ユニット若しくは押当て部材に対して押圧される。更に、第２の固定部材の回動体が基体に対してずらされ、これにより第２の固定部材はユニットのロック部材と係合して、形状接続を生ぜしめる。回動体の運動は、並進運動及び／又は回転運動を含んでいてもよい。
【００３４】
本発明の第２の態様では、上述した高電流差込み接続部用のコネクタシステムの製造方法を説明する。この方法は、以下の各ステップを有している。即ち：電気的な導線を備えたワイヤハーネスコネクタを準備するステップ；ワイヤハーネスコネクタとユニットとの間に電気的な接続を生ぜしめるためのインタフェースを備えたユニットを準備するステップ；ワイヤハーネスコネクタを、第１の固定部材を用いてインタフェースに形状接続的に固定するステップ；ワイヤハーネスコネクタの差込み方向に対して平行な、ワイヤハーネスコネクタ及び／又は導線の動きを阻止すると同時に、場合によってはワイヤハーネスコネクタの差込み方向に対して垂直な、ワイヤハーネスコネクタ及び／又は導線の動きをも阻止するように、ワイヤハーネスコネクタ及び／又は導線を、第２の固定部材を用いてユニットに形状接続的に固定するステップを有している。
【００３５】
本発明の別の特徴及び利点は、添付の図面に基づく、本発明として限定的に解釈されるべきでない、例としての実施形態の以下の説明から、当業者に明らかとなる。
【図面の簡単な説明】
【００３６】
【図１】図１Ａ〜図１Ｄは、それぞれ本発明の第１の実施形態によるコネクタシステムの異なる状態を示す側面図である。
【図２】図２Ａ〜図２Ｃは、それぞれ本発明の第２の実施形態によるコネクタシステムの異なる状態を示す側面図である。
【図３】図３Ａ〜図３Ｃは、それぞれ本発明の第３の実施形態によるコネクタシステムの異なる状態を示す側面図である。
【００３７】
以下に、本発明の実施形態を図面につき詳しく説明する。全ての図面は、本発明による装置、若しくは該装置の、本発明の実施形態による構成部材を概略的に図示したものであるに過ぎない。特に、距離と大きさの関係は、図面において縮尺通りには反映されていない。異なる図面において、同じ部材には同じ符号を付してある。
【００３８】
図面には、コネクタシステム１の様々な実施形態の側面図が示されている。コネクタシステム１は、電気的な導線５若しくはケーブルを備えるワイヤハーネスコネクタ３を有している。更にコネクタシステム１は、ワイヤハーネスコネクタ３とユニット７との間に電気的な接続を生ぜしめるためのインタフェース９を備えたユニット７を有している。ユニット７は、例えば電気機械であってもよい。インタフェース９は、コネクタカラー、若しくはワイヤハーネスコネクタ３を挿入可能なインタフェースソケットを有している。
【００３９】
ワイヤハーネスコネクタ３には、第１の固定部材１１が設けられている。第１の固定部材１１は、所定の軸線を中心として回動可能に、ワイヤハーネスコネクタ３に取り付けられていてもよい。この場合、第１の固定部材１１は、ワイヤハーネスコネクタ３とインタフェース９との間のロックレバーとして形成されていてもよい。第１の固定部材１１は、ワイヤハーネスコネクタ３をインタフェース９に遊び無く形状接続的（形状的な束縛、例えば係合による結合）に、且つ場合によっては摩擦接続的に固定する。このためにはインタフェース９に、若しくはインタフェースソケットの外周面に、インタフェース９から差込み方向１５に対して垂直に離れる方向を向いた複数のロックピンが設けられていてよく、例えば係止フックによりレバーが作動させられると、ロックピンに第１の固定部材１１が係合するようになっている。
【００４０】
付加的に、コネクタシステム１は第２の固定部材１３を有している。第２の固定部材１３は、第１の固定部材１１による本来のコネクタロックに加えて追加的に、電気的な導線５及び／又はワイヤハーネスコネクタ３を、ユニット７に直接に遊び無く固定する。これにより、インタフェース９とワイヤハーネスコネクタ３とは同じ振動レベルを有することになるので、コネクタシステム１の電気的なコンタクト素子の摩耗が最小限に抑えられる。
【００４１】
第２のコンタクト素子を用いた固定によって、ワイヤハーネスコネクタ３の差込み方向１５に対して平行な、ワイヤハーネスコネクタ３及び／又は導線５の動きが阻止される。このためにはユニット７に、ロック部材１７が設けられていてもよい。ロック部材１７はピンとして、又は係止フックとして形成されていてもよい。特にロック部材１７は、差込み方向１５に対して垂直に、互いに向かい合ってユニット７に配置された２つのロックピンの形態で形成されていてもよい。全ての実施形態において、第２の固定部材１３はクイックロックとして形成されているので、取付け時間及び取付け空間が節約可能である。
【００４２】
図１及び図３に示したコネクタシステム１では、第２の固定部材１３が、コネクタシステム１のその他のコンポーネントとは別個に形成されている。これに対して図２に示す実施形態では、第２の固定部材１３はワイヤハーネスコネクタ３に回動可能に取り付けられている。図１に示した第２の固定部材１３は、電気的な導線５とワイヤハーネスコネクタ３の両方を、ユニット７に直接に固定する。図２に示した第２の固定部材１３は、ワイヤハーネスコネクタ３だけをユニット７に直接に固定するに過ぎない。これに対して図３に示した第２の固定部材１３は、電気的な導線５だけをユニット７に直接に固定するに過ぎない。
【００４３】
図１には、第１の実施形態によるコネクタシステム１のそれぞれ異なる位置若しくは閉鎖状態が示されている。図１Ａには、取付け位置におけるコネクタシステム１が、第２の固定部材１３無しで示されている。この場合、ワイヤハーネスコネクタ３は、ユニット７に接してガイドされており且つインタフェース９に対向して配置されている。但し、インタフェース９とワイヤハーネスコネクタ３の電気的なコンタクト素子はまだ、電気的に接触接続してはいない。更に、第１の固定部材１１は開放位置に位置している。ユニット７には複数の突出部が設けられており、これらの突出部において、ワイヤハーネスコネクタ３及び電気的な導線５を位置調整し、且つ位置決めすることができる。突出部は、第２の固定部材１３が接続するための幾何学形状をも提供していてよい。
【００４４】
図１Ｂでは、ワイヤハーネスコネクタ３とインタフェースカラーとが嵌め合わされている。即ち、差込み接続部は閉じられている。更に、第１の固定部材１１は閉じられており、これによりワイヤハーネスコネクタ３はインタフェース９に遊び無く接続された状態になる。コネクタシステム１のコンポーネントとは別個に形成された第２の固定部材１３は開いた状態であり、取付け位置に位置している。
【００４５】
この場合、図１の実施形態に示した第２の固定部材１３は、基体２９と回動体３１とを有している。回動体３１は、基体２９に対して可動に支持されている。特に回動体３１は、回転軸線１９を中心として、基体２９に回動可能に取り付けられている。基体２９は、第１の係合部材２１と、第２の係合部材２３とを有している。更に、ワイヤハーネスコネクタ３には、第１の係合部材２１を取り付けるように形成された取付け要素２５が設けられている。
【００４６】
図１Ｃに示すように、取付け要素２５は、第２の固定部材１３の位置決め及び位置調整のために、第１の係合部材２１と協働する。更に、ユニット７には、場合によっては粗い表面を有する隆起部の形態の押当て部材２７が設けられている。図１Ｄに示すように、第２の固定部材１３が、回転軸線１９を中心とした回動体３１の回動により操作されて閉鎖位置に移行すると、第２の係合部材２３が電気的な導線５を、押当て部材２７に向かって押圧する。このことは図１Ｄに矢印で示されている。同時にワイヤハーネスコネクタ３も、ユニット７に形状接続的に、且つ場合によっては摩擦接続的に固定される。このことも図１Ｄに矢印で示されている。
【００４７】
図２には、第２の実施形態によるコネクタシステム１のそれぞれ異なる位置若しくは閉鎖状態が示されている。この場合、第２の固定部材１３は、図１及び図３の場合とは異なり、この実施形態ではワイヤハーネスコネクタ３に予め取り付けられていて、回転軸線１９を中心として回動可能に支持されている。更に第２の固定部材１３は、この構成では図１〜図３に示した構成とは異なり、基体は有しておらず、ワイヤハーネスコネクタ３に直接に取り付けられた回動体だけを有しているに過ぎない。図２Ａでは、差込み接続部は開いた状態であり、図１Ａの場合と同様に取付け位置に位置している。第１の固定部材１１と第２の固定部材１３とは両方共、開放位置にある。
【００４８】
図２Ｂでは、ワイヤハーネスコネクタ３とインタフェースカラーとが、図１Ｂの場合と同様に嵌め合わされており、第１の固定部材１１は閉じられている。第２の固定部材１３は開いていて、ロック部材１７に接して位置しているか、若しくはロック部材１７に緩く係合している。図２Ｃでは、第２の固定部材１３が操作されて若しくは閉じられて、ロック部材１７は第２の固定部材１３に設けられたスリットに形状接続的に係合している。このようにして、ワイヤハーネスコネクタ３に取り付けられた第２の固定部材１３は、ワイヤハーネスコネクタ３をユニット７に形状接続的に、且つ場合によっては摩擦接続的に固定する。
【００４９】
図３には、第３の実施形態によるコネクタシステム１のそれぞれ異なる位置若しくは閉鎖状態が示されている。この場合、第２の固定部材１３は、図１の場合と同様に、別個の構成部材として形成されている。この場合、第２の固定部材１３の基体２９は、電気的な導線５を収容するように形成されている。図３Ａでは、差込み接続部は閉じられている。第１の固定部材１１も、閉じられた位置に位置している。第２の固定部材１３は取付け位置に位置していて、開いた状態である。この場合、第２の固定部材１３は、図１に示した実施形態に比べ、より大きな間隔を置いて、導線５に取り付けられる。図３Ｂでは、第２の固定部材１３は、導線５が基体２９内に収容されるように、導線５に向かって押しずらされている。図３Ｃでは、第２の固定部材１３が閉じられており、これにより回動体３１に設けられたスリットが、ユニット７のロック部材１７に係合して、導線５をユニット７に形状接続的に、且つ場合によっては摩擦接続的に固定している。
【００５０】
最後に述べておくと、「有している」等の表現又は類似の表現は、別の要素又はステップが想定されていてもよいということを排除するものではない。更に述べておくと、「１つの」は複数を排除するものではない。更に、様々な実施形態に関連して説明した特徴は、任意に互いに組み合わせられてもよい。更に述べると、請求項に記載した符号は、請求の範囲を限定するものとして解釈されるべきではない。
【図１Ａ】
2016531393.tif 000003
【図１Ｂ】
2016531393.tif 000004
【図１Ｃ】
2016531393.tif 000005
【図１Ｄ】
2016531393.tif 000006
【図２Ａ】
2016531393.tif 000007
【図２Ｂ】
2016531393.tif 000008
【図２Ｃ】
2016531393.tif 000009
【図３Ａ】
2016531393.tif 000010
【図３Ｂ】
2016531393.tif 000011
【図３Ｃ】
2016531393.tif 000012
【国際調査報告】
2016531393.tif 000013
2016531393.tif 000014
2016531393.tif 000015
2016531393.tif 000016